(57)【要約】【課題】点検、保守作業の際に天候に左右されないキュービクル式高圧受電設備を提供する。【解決手段】金属筐体内に、変圧器、断路器、保護継電器等の機器類を収容し、前面に操作器具を設けた受電設備を側面方向に複数連結して構成されたキュービクル式高圧受電設備であって、該キュービクル式高圧受電設備は前面を対向させてそれぞれ離間して配置され、前記金属筐体の屋根部を連結してキュービクル式高圧受電設備の前面上部を覆う屋根部材と、前記キュービクル式高圧受電設備の側端部を夫々接続する一対の扉付き壁部材によって、メンテナンス用スペースを形成した。【選択図】        図１
2010017012.tif 000002
【特許請求の範囲】
【請求項１】
金属筐体内に、変圧器、断路器、保護継電器等の機器類を収容し、前面に操作器具を設けた受電設備を側面方向に複数連結して構成されたキュービクル式高圧受電設備であって、該キュービクル式高圧受電設備は前面を対向させてそれぞれ離間して配置され、前記金属筐体の屋根部を連結してキュービクル式高圧受電設備の前面上部を覆う屋根部材と、前記キュービクル式高圧受電設備の側端部を夫々接続する一対の扉付き壁部材によって、メンテナンス用スペースを形成したことを特徴とするキュービクル式高圧受電設備。
【請求項２】
前面に操作器具を設けた高圧受電設備の前面パネルと、該前面パネルに接するメンテナンス用スペース床面に所定の色分けを施し、該高圧受電設備に供給する高圧電気系統を識別可能とする、請求項１記載のキュービクル式高圧受電設備。
【発明の詳細な説明】
【技術分野】
【０００１】
本発明は、キュービクル式高圧受電設備に関し、とくに屋外に設置され天候に左右されずに点検、保守作業が可能なキュービクル式高圧受電設備に関するものである。
【背景技術】
【０００２】
従来、キュービクル式高圧受電設備は、接地した金属筐体内に、変圧器、断路器、保護継電器、操作用押釦スイッチ、電流計等が収容されており、とくにテナントが数多く入居するビルにおいては、ビルの屋上などに複数の金属筐体を連結して構成されたキュービクル式高圧受電設備が使用されている。
【０００３】
この高圧受電設備は、定期的に点検、検査が義務付けされており、とくに多くのテナントが入居しているビルにおいては、閉店後に作業を行なう必要があり、また日時も予め決定しておく必要があるため天候によって変更できないものであった。そのため、例えば雨天時の際には傘をさして作業を行なう必要があり、また作業の際に金属製筐体内に雨水が浸入する虞があり、危険を伴うものであった。
【０００４】
そこで、受変電装置を収容した金属箱体の前面側の開口部を開閉する前面扉を、上下方向の略中央部分において２分割し、上部側に位置する上部扉は、上下方向に開閉できるように金属箱体の前部開口部の上端部に枢着し、下部側に位置する下部扉は、前記上部扉と直交して左右方向に開閉できるように前記開口部下側の一側端縁に枢着するキュービクル式受変電装置が提案されている（特許文献１参照。）。またキュービクルを保守点検する際のスペースを含んでキュービクルを覆うことが可能である大きさの天板を有し、天板は、柱、梁、水平ブレスによって支持されると共に、組立式であることを特徴とするキュービクルの日除け構造もある（特許文献２参照。）。
【０００５】
【特許文献１】実開平７−２７２１０号公報
【特許文献２】特開平９−２３３６２５号公報
【発明の開示】
【発明が解決しようとする課題】
【０００６】
しかしながら、上記特許文献１に提案されているキュービクル式受変電装置は、金属箱体の前面側の開口部を開閉する前面扉を、上下方向に開閉できるように構成したものであり、雨天時に庇の替わりとなるものであるが、夜間の作業には適さずしかも、雨水の浸入を防ぐことはできないものであった。また、上記特許文献２の技術は、雨天の際に天板を使用できる日除け構造であるが、複数の金属製筐体を覆うためには、プレハブであっても大きな工事となり、多大の費用が掛かり実用的ではなかった。
【０００７】
上記の問題点に鑑み本発明者らは、夜間や雨天において高圧受電設備の点検、保守作業を円滑・容易に行なうことができるキュービクル式高圧受電設備を提供するに至った。
【課題を解決するための手段】
【０００８】
このため本発明のキュービクル式高圧受電設備は、金属筐体内に、変圧器、断路器、保護継電器等の機器類を収容し、前面に操作器具を設けた受電設備を側面方向に複数連結して構成されたキュービクル式高圧受電設備であって、該キュービクル式高圧受電設備は前面を対向させてそれぞれ離間して配置され、前記金属筐体の屋根部を連結してキュービクル式高圧受電設備の前面上部を覆う屋根部材と、前記キュービクル式高圧受電設備の側端部を夫々接続する一対の扉付き壁部材によって、メンテナンス用スペースを形成したことを第一の特徴とする。
【０００９】
また、前面に操作器具を設けた高圧受電設備の前面パネルと、該前面パネルに接するメンテナンス用スペース床面に所定の色分けを施し、該高圧受電設備に供給する高圧電気系統を識別可能とすることを第二の特徴とする。
【発明の効果】
【００１０】
本発明に係るキュービクル式高圧受電設備によれば、金属筐体の屋根部を連結して前記離間して配置されたキュービクル式高圧受電設備の前面上部を覆う屋根部材と、前記キュービクル式高圧受電設備の側端部を夫々接続する一対の扉付き壁部材によって、メンテナンス用スペースを形成したため、夜間や雨天でも容易に作業を行なうことができるという効果を有する。
【００１１】
しかも、前面に操作器具を設けた受電設備を側面方向に複数連結したキュービクル式高圧受電設備の前面パネルと、該前面パネルに接するメンテナンス用スペース床面に所定の色分けを施し、高圧受電設備に供給する高圧電気系統を識別可能としたため、点検、保守作業の際に安全に作業ができるという優れた効果を有する。
【発明を実施するための最良の形態】
【００１２】
以下、本発明を実施例を示す図面を参照しながら説明するが、本発明が本実施例に限定されないことは言うまでもない。図１は、本発明のキュービクル式高圧受電設備を示す斜視図、図２は図１の側面図、図３は本発明のキュービクル式高圧受電設備のメンテンンス用スペースを示す説明図である。
【実施例】
【００１３】
図１に示すように、本発明のキュービクル式高圧受電設備１は、ビル屋上の床面２に配置された複数の支持ベース３上に設置されており、金属製の筐体４を複数連結して構成されている。またこの複数の筐体４の外周には拡張床材５が形成されている。
【００１４】
筐体４内には受変電機器が収納されており、この筐体４を側面方向に複数連結して構成した高圧側受電設備６と低圧側受電設備７が夫々前面側を対向して離間して配置されている。そして、筐体４の屋根部８と重合して連結する屋根部材９が高圧側受電設備６と低圧側受電設備７の前面部上方を覆って形成され、また筐体４の側端側には壁部材１０が夫々連設されており、この壁部材１０と屋根部材９によって後述するメンテナンス用スペースが形成されている。
【００１５】
図２は図１の側面図であり、上述した高圧側受電設備６と低圧側受電設備７を壁部材１０と屋根部材９によって連結した状態を示している。壁部材１０の上方には一対の窓部１１が形成され採光可能とされ、また壁部材１０の中央には一対の扉部材１２が設けられ、ハンドル１３によって開閉可能とされている。そして屋根部材９は高圧側受電設備６と低圧側受電設備７の屋根部８と重合すると共に、その中央部から屋根部８方向に傾斜する山型に形成されており、雨水の流入を防止する。
【００１６】
図３は、メンテナンス用スペース１４を示し、中央奥側に一対の扉部材１２付き壁部材１０が設置されており、上方には屋根部８を覆う屋根部材９が取り付けられ、複数の補強用梁材１５とボルト接合されている。また梁材１５の中央には屋根部材９の長手方向と平行に照明装置１６が直交して設置され、メンテナンス用スペース１４内の明かりを確保する。そして、高圧側受電設備６と低圧側受電設備７の前面パネル１７、１８と接する床部にはフリーアクセス用カーペット１９が敷設されており、作業者が高圧側受電設備６および低圧側受電設備７の点検、保守の作業に使用される。
【００１７】
上記構成のキュービクル式高圧受電設備は、ビルの屋上に設置されて使用され、受変電機器の定期的な点検や保守を行なう際に、専用のメンテナンス用スペースが設けられているため時間や天候を何ら考慮することがなく、安全に作業を行なうことができる。。
【００１８】
さらに、図３に示すように前面パネル１７、１８と、これに接するカーペット１９には、高圧側受電設備６に供給する高圧電気系統に対応させて、夫々異なる色のテープの貼着や彩色が施されており、この色分けによって高圧電気系統の識別が可能となるため、点検、保守作業時に誤ったパネル面を操作することがなく、安全な作業をおこなうことができる。
【００１９】
以上の構成からなる、本発明のキュービクル式高圧受電設備は、金属筐体の屋根部を連結して前記離間して配置されたキュービクル式高圧受電設備の前面上部を覆う屋根部材と、前記キュービクル式高圧受電設備の側端部を夫々接続する一対の扉付き壁部材によって、メンテナンス用スペースを形成したため、夜間や雨天でも容易に、且つ安全に作業を行なうことができる。
【図面の簡単な説明】
【００２０】
【図１】本発明に係るキュービクル式高圧受電設備の一実施例を示す斜視図である。
【図２】図１の側面図である。
【図３】本発明のキュービクル式高圧受電設備のメンテンンス用スペースを示す説明図である。
【符号の説明】
【００２１】
１              キュービクル式高圧受電設備
２              床面
３              支持ベース
４              筐体
５              拡張床材
６              高圧側受電設備
７              低圧側受電設備
８              屋根部
９              屋根部材
１０              壁部材
１１              窓部
１２              扉部材
１３              ハンドル
１４              メンテナンス用スペース
１５              梁材
１６              照明装置
１７、１８        前面パネル
１９              カーペット
【図１】
2010017012.tif 000003
【図２】
2010017012.tif 000004
【図３】
2010017012.tif 000005